(57)【要約】【課題】要介護者を入浴させる場合浴槽の框を越えなければならず、この作業が介護者には大きい負担となる。この問題を軽減する方策として電動吊り上げ装置や、多くの機戒装置が存在するが、これらはいずれも複雑で、特に電力を用いた機器は、停電や漏電に問題があり、また浴槽に入る要介護者に感電の心配等の精神的負担あり課題がある。【解決の手段】ベース盤に軸着した、回動・傾動継手の軸芯を、傾斜してアームを軸着した、アームの傾斜角が回動することでアームの先端が浴槽の框を挟んで昇降し、回転ハンドルと回動ブレーキの操作のみで、電力も不要で、且つシンプルな機構で安価に製作できる。【選択図】図１
2020137987.tif 000002
【特許請求の範囲】
【請求項１】
溶着可能なパイプのアーチ支柱を浴槽のコ―ナ部分の框に脱着自在に立設し支柱の基礎部を浴槽の框を挟むバイスで固定する。さらに、前記アーチの頂上桟と左右支柱間にベース盤を溶着し、前記ベース盤に回動・傾動継手に埋着したセクターギャアを軸着し、ウオームギャの回転手段で回動・傾動継手を傾動し、前記回動・傾動継手に軸着したアームの回動を、回動ブレーキが制御し、アームの先端が、回動・傾動継手の傾斜角に対応して昇降する要介護者の昇降機具を特徴とする。
【請求項２】
前記、要介護者の昇降機具において、ベツトやトイレの設置状況に対応して、前記昇降機具の機溝を必要な場所に構設し、回転ハンドルの回転手段で回動・傾動継手を傾動させ、前記回動・傾動継手に軸着したアームの先端にベルトで抱持する要介護者を手動で昇降させ、排泄物の処理や着せ替え等を行い、アームの傾動制御と、アームの回動操作を介護者が手作業で簡単に行える要介護者の昇降機具を特徴とする。
【発明の詳細な説明】
【技術分野】
【０００１】  本発明は、要介護者を昇降し、介護者の負担を軽減する要介護者の昇降機具に関するものである。
【背景技術】
【０００２】特許文献１記載の介護用移動装置は、壁面、天井，支柱等に一端が水平方向に回動自在に軸支された吊りアームと、被介護者を座らせた状態で載せる板状トイレと、このトイレをその周縁部から複数本のロープを介して上記水平アームの先端から吊り下げて昇降する昇降手段とからなる、と段落（００１１）に記載されている。しかし壁面、天井，支柱等に一端が水平方向に回動自在に固定されているため、特定の浴室やトイレしか利用出来ず問題があり、また昇降手段に電力を使用することは停電や漏電に問題があり、介護支援者の精神的配慮が必要で課題がある。
【特許文献】
【特許文献１】特開２００１−１９０６０５号公報
【発明が解決しようとする課題】
【０００３】前述の他、最近は介護ロボットとして、パワーアシストスーツなぞ介護ロボットが考案されている。しかし、パワーアシストスーツは、介護支援者の腰や足にかかる負担を軽減することを主目的に開発され、各種のプログラムが準備されているが、介護支援者の負担は腰や足に限らず介護支援に伴う体全体の肉体的・精神的労力や苦痛を軽減が必要で、足腰だけで高額な費用をかけることは費用対効果に課題がある。
【０００４】そこで、車椅子に乗った要介護者を入浴させるための移乗回数を少なくする必要から、回転ハンドル操作のみでアームの先端に要介護者をベルトで抱持し、要介護者と浴具の椅子を上昇させ、浴具の椅子と共に浴槽内に入水し、介護者と要介護者がふれあいながら、肉体的・精神的負担を軽減することができる要介護者の移乗具を実現することを目的とするものである。
【課題を解決するための手段】
【０００５】溶接可能なアーチ状の支柱１の基礎部分を、浴槽２のコ―ナの框３を挟む鞍形状のバイス４に溶設し、前記アーチの頂上桟１ａと両支柱間にベース盤７を溶設し、前記ベースベース盤７の中心位置を穿孔し、回動・傾動継手６に埋設したセクターギャア９を傾動可能に、傾動軸支ボルト６ａで軸着する。前記セクターギャア９は、扇形の往復回動を行い、ウオームギャ１０と歯合し，ベース盤７軸承したウオームギャ９の回転手段で、回動・傾動継手６が傾動し、回動・傾動継手６に回動軸支ボルト６ｂで軸着したアーム５も，傾動軸支ボルト６ａを軸芯として傾動する。また回動・傾動継手６に、回動軸支ボルト６ｂで軸着したアーム５は、前記軸着した６ｂ軸を軸芯として回動し、アーム５の先端が回動・傾動継手６の傾斜角に対応して昇降する、介護者の昇降機具を特徴とする。
【発明の効果】
【０００６】介護者が、椅子状の浴具に座る要介護者をアーム先端にベルトで抱持し、回転ハンドルとブレーキハンドルを操作しながら要介護者と接触して感触を保ち昇降することで、要介護者と介護者が安心感が醸成し、要介護者も安心して入浴ができる。
【図面の簡単な説明】
【０００７】
【図１】要介護者の昇降機具、要部の正面図と右側面図
【図２】回動・傾動継手の押止機構の斜視図
【発明の実施するための形態】
【０００８】〈第一の実施形態〉
昇降機具の部材は、溶着可能に限らず例えば木材や樹脂等製作者の都合で選択し、本述は、溶接可能な部材を用い、アーチ状に頂上桟を左右の支柱１間に橋架し、前記左右の支柱１の基礎部分を、浴槽２のコ―ナの框３を挟む鞍形状のバイス４に溶着して立設し、前記アーチの頂上の桟パイプと両支柱間の３か所にベース盤７を溶着する。前記ベースベース盤７の穿孔した穴に、回動・傾動継手６に埋着したセクターギャア１０ａを、傾動可能に、軸支ボルト６ａで軸着し、前記セクターギャア１０ａは、扇形の往復回動を行い、前記ベースベース盤７に軸承されたウオームギャと歯合して、ウオームギャの回転によって回動・傾動継手６を傾動する。
【０００９】前記ウオームギャの回転は、ウオームギャの回転軸８ａに固着した回転ハンドル８の回転操作で回転し、回動・傾動継手６に軸着したアーム５の傾動を、軸支ボルト６ａを軸芯として可変に傾斜する。またウオームギャの回転軸８ａに固着した回転ハンドル８の回転操作が、要介護者１２の体重よって困難な場合は、回動・傾動継手６と、軸支ボルト６ａ間にベアリングを装着する。
【００１０】前記ウオームギャの回転手段で傾動する回動・傾動継手６に軸着したアーム５は、前記軸着した軸６ｂを軸芯として回動し、アーム５の先端が回動・傾動継手６の傾斜角に対応して昇降するが、傾斜角が大きい場合に備えて回動押止機構１１を設け、前記回動押止機構の制御はブレーキハンドル１１ａが担い、ブレーキハンドル１１ａを握るとアームは回動し、またブレーキハンドル１１ａから手をはなすとアームはロックする。
【００１１】前記回動・傾動継手６に軸着したアーム５の先端にベルトを緊結し、前記緊結したベルトの端末を、ベルトで抱持１３した要介護者１２に緊結し、対話を可能に昇降する。さらに、安全を確保する機溝として、アーム５の傾動をロックする機能をウオームギャが担い、回動制御は、回動・傾動継手６、凹設した押止機構１１が行い、前記押止機構のＯｎ／ｏｆをブレーキハンドル１１ａで行うことで介護者が回転ハンドル８の回転操作とアーム軸の回動と、手動でアーム５の回動を調整し、要介護者１２と対話をしながら前記浴槽２の框３を超えて入浴が可能にする、要介護者の昇降機具を特徴とする。
【００１２】〈第二の実施形態〉
前記要介護者の昇降機具１４において、介護者が回転ハンドル８の回転と押止機構１１からなるブレーキハンドル１１ａを操作し、手動でアーム５を引き寄せ、前記アーム５の先端を降下させる，ベツトに寝ている要介護１２と対話をしながらベルトで抱持１３し、ベットの手前に排泄物の処理や着せ替え等の部材を準備した台車に移乗させ，前記排泄物等の処理をし、再びベツトへ戻るためにアーム５の先端を上昇させる機溝とした、要介護者の昇降機具を特徴とする。
【符号の説明】
【００１３】１、支柱                １ａ  頂上桟
２、浴槽
３、框
４、鞍形バイス
５、アーム              ５ａ  スカート
６、回動・傾動継手      ６ａ  傾動軸支ボルト    ６ｂ  回動軸支ボルト
７、ベース盤
８、回転ハンドル
９、セクターギャ
１０、ウオームギャ      １０ａ  ウオームギャの軸承
１１、押止機構          １１ａ  ブレーキハンドル
１２、要介護者
１３、ベルトで抱持
１４、要介護者の昇降機具
【図１】
2020137987.tif 000003
【図２】
2020137987.tif 000004